【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
マーキングオブジェクトであって、少なくとも１つのオブジェクトキャリア（２）、及び該オブジェクトキャリア（２）によって保持される少なくとも１つのオブジェクトブランク（３）を備え、該オブジェクトブランク（３）がマーキング装置（７）によってマーキング可能である形式のものにおいて、
前記マーキングオブジェクト（１）がプラスチック射出成形部品として形成され、かつ少なくとも１つの前記オブジェクトブランク（３）がマーキングラベルとして形成されており、かつ
前記オブジェクトキャリア（２）が、少なくとも１つの識別手段（４ａ，４ｂ，４ｃ，４ｄ）を備え、該識別手段（４ａ，４ｂ，４ｃ，４ｄ）が、当該マーキングオブジェクト（１）に関する少なくとも１つの情報を含む、かつ／又は該識別手段（４ａ，４ｂ，４ｃ，４ｄ）内に、当該マーキングオブジェクト（１）に関する少なくとも１つの情報が格納可能であることを特徴とする、マーキングオブジェクト。
【請求項２】
前記識別手段（４ａ，４ｂ，４ｃ，４ｄ）がレタリング及び／又はエングレービング及び／又はスタンピング及び／又はパンチング及び／又は電子的なデータキャリア、特にＲＦＩＤチップ又は磁気テープとして構成されている、請求項１記載のマーキングオブジェクト。
【請求項３】
前記オブジェクトキャリア（２）が、少なくとも１つのウェブ（５）、有利にはしかし、互いに略平行に延びる２つのウェブ（５）を備え、前記識別手段（４ａ，４ｂ，４ｃ，４ｄ）が、少なくとも部分的に、前記オブジェクトキャリア（２）の前記ウェブ（５）に設けられている、請求項１又は２記載のマーキングオブジェクト。
【請求項４】
複数の識別手段（４ａ，４ｂ，４ｃ，４ｄ）が前記オブジェクトキャリア（２）に設けられており、複数の識別手段（４ａ，４ｂ，４ｃ，４ｄ）のうちの少なくとも１つの識別手段の情報が、当該マーキングオブジェクト（１）の配向にかかわらず検出可能であるか、あるいは情報が、複数の識別手段（４ａ，４ｂ，４ｃ，４ｄ）のうちの少なくとも１つの識別手段内に、当該マーキングオブジェクト（１）の配向にかかわらず格納可能である、請求項１又は２記載のマーキングオブジェクト。
【請求項５】
前記識別手段（４ａ，４ｂ，４ｃ，４ｄ）の、当該マーキングオブジェクト（１）に関する情報が、メーカ標識（４ａ）及び／又はタイプ標識（４ｂ）である、請求項１又は２記載のマーキングオブジェクト。
【請求項６】
前記識別手段（４ａ，４ｂ，４ｃ，４ｄ）の、当該マーキングオブジェクト（１）に関する情報が、当該マーキングオブジェクト（１）、あるいは前記オブジェクトキャリア（２）における前記オブジェクトブランク（３）の配置が対称的であるか、又は非対称的であるかが認識されるシンメトリ標識（４ｃ）である、請求項１又は２記載のマーキングオブジェクト。
【請求項７】
前記識別手段（４ａ，４ｂ，４ｃ，４ｄ）の、当該マーキングオブジェクト（１）に関する情報が、当該マーキングオブジェクト（１）の配向を示す、特に、前記識別手段（４ａ，４ｂ，４ｃ，４ｄ）が当該マーキングオブジェクト（１）の前面又は背面に設けられているか、かつ／又は当該マーキングオブジェクト（１）の前面及び／又は背面のどちら側に前記識別手段（４ａ，４ｂ，４ｃ，４ｄ）が設けられているかを示す、請求項１又は２記載のマーキングオブジェクト。
【請求項８】
前記識別手段（４ａ，４ｂ，４ｃ，４ｄ）が、どのオブジェクトブランク（３）がマーキングされ、どのオブジェクトブランク（３）が未だマーキングされていないかについての情報が内部に格納されている、かつ格納可能であるように構成されているオブジェクトブランク標識（４ｄ）である、請求項１又は２記載のマーキングオブジェクト。
【請求項９】
前記識別手段（４ａ，４ｂ，４ｃ，４ｄ）が、前記オブジェクトキャリア（２）の外側の縁部（６）、特に、規定通りの使用時に当該マーキングオブジェクト（１）の先頭に立って前記マーキング装置（７）に導入可能な外側の縁部（６）に設けられている、請求項８記載のマーキングオブジェクト。
【請求項１０】
請求項１記載の少なくとも１つのマーキングオブジェクト（１）をマーキングするためのマーキング装置であって、少なくとも１つのマーキングユニット（８）、少なくとも１つのマーキングオブジェクトホルダ（９）、及び少なくとも１つの設定された又は設定可能なマーキングパターンを備え、前記マーキングユニット（８）及び前記マーキングオブジェクトホルダ（９）が、主搬送方向（Ｔ）で互いに相対的に可動であり、前記マーキングオブジェクト（１）が、少なくとも１つのオブジェクトキャリア（２）、及び該オブジェクトキャリア（２）により保持される少なくとも１つのオブジェクトブランク（３）を備え、前記オブジェクトキャリア（２）が少なくとも１つの識別手段（４ａ，４ｂ，４ｃ，４ｄ）を備える形式のものにおいて、
少なくとも１つの検出及び／又は影響装置（１０）が前記識別手段（４ａ，４ｂ，４ｃ，４ｄ）との相互作用のために設けられており、該検出及び／又は影響装置（１０）を介して、前記マーキングオブジェクト（１）に関する少なくとも１つの情報が検出可能である、かつ／又は前記マーキングオブジェクト（１）に関する少なくとも１つの情報が、前記識別手段（４ａ，４ｂ，４ｃ，４ｄ）内に格納可能であることを特徴とする、マーキング装置。
【請求項１１】
前記マーキングオブジェクト（１）の前記オブジェクトブランク（３）をマーキングする前に、前記検出及び／又は影響装置（１０）によって、前記マーキングオブジェクト（１）に関する情報、特にメーカ標識（４ａ）及び／又はタイプ標識（４ｂ）及び／又はシンメトリ標識（４ｃ）及び／又は配向及び／又は前記マーキングオブジェクト（１）のマーキング済み又は未マーキングのオブジェクトブランク（３）、すなわちオブジェクトブランク標識（４ｄ）が検出され、留保される、請求項１０記載のマーキング装置。
【請求項１２】
前記検出され、留保される、マーキングオブジェクト（１）に関する情報が、前記マーキングユニット（８）のパラメータ設定及び／又は制御のために使用される、請求項１１記載のマーキング装置。
【請求項１３】
前記オブジェクトブランク（３）の配向に関する情報が、前記マーキングパターンの適当な位置合わせ、特に回転、及び／又はスケーリングに至るので、前記オブジェクトブランク（３）のマーキングが、前記マーキングオブジェクトホルダ（９）内における前記マーキングオブジェクト（１）の位置にかかわらず実施可能である、請求項１１又は１２記載のマーキング装置。
【請求項１４】
前記マーキングオブジェクト（１）のマーキング済み又は未マーキングのオブジェクトブランク（３）に関する、検出され、留保される情報が、前記マーキングユニット（８）の制御及び／又はマーキングパターンの適合のために使用されるので、未マーキングのオブジェクトブランク（３）のみが前記マーキングユニット（８）によってマーキングされる、請求項１１又は１２記載のマーキング装置。
【請求項１５】
前記マーキングオブジェクト（１）のマーキング済み又は未マーキングのオブジェクトブランク（３）に関する、検出され、留保される情報が、前記マーキングユニット（８）の制御及び／又はマーキングパターンの適合のために使用されるので、未マーキングのオブジェクトブランク（３）のみが前記マーキングユニット（８）によってマーキングされる、請求項１３記載のマーキング装置。
【請求項１６】
前記検出及び／又は影響装置（１０）が識別手段（４ａ，４ｂ，４ｃ，４ｄ）内に、どのオブジェクトブランク（３）をマーキングしたかについての情報を格納あるいは更新する、請求項１１記載のマーキング装置。